(57)【要約】【課題】ディジタル変調方式により変調された伝送信号を送受信するディジタル伝送装置において、特定キャリアの劣化状況の把握が可能で、またそれを記録保存の容易な映像信号に変換するディジタル伝送装置を提供する。【解決手段】受信装置側に、受信した伝送信号を復調する復調部に接続され、Ｘ軸方向に周波数成分、Ｙ軸方向に復調した信号成分を出力する２次元表示用出力装置（１１，１２，１３）を備えたことを特徴とする。【選択図】  図１
2004357106.tif 000002
【特許請求の範囲】
【請求項１】
ディジタル変調方式により変調され、２次元にマッピングされた伝送信号を送信し、受信した２次元のデータを識別することで伝送信号を再生するディジタル伝送装置において、受信装置側に、受信した前記伝送信号を復調する復調部に接続され、Ｘ軸方向に周波数成分，Ｙ軸方向に復調した信号成分を出力する２次元表示用出力装置を備えたことを特徴とするディジタル伝送装置。
【請求項２】
ディジタル変調方式により変調され、２次元にマッピングされた伝送信号を送信し、受信した２次元のデータを識別することで伝送信号を再生するディジタル伝送装置において、受信装置側に、受信した前記伝送信号を復調する復調部に接続され、該復調部で前記伝送信号を復調する復調処理のタイミングに応じて復調後のデータをホールドしたホールド信号、および前記タイミングに応じて一定にレベル増加するレベル増加信号とを出力する出力部と、該出力部に接続され、前記ホールド信号および前記レベル増加信号から、Ｘ軸方向に周波数成分，Ｙ軸方向に復調した信号成分を出力するビデオ化処理器を備えたことを特徴とするディジタル伝送装置。
【請求項３】
ディジタル変調方式により変調され、２次元にマッピングされた伝送信号を送信し、受信した２次元のデータを識別することで伝送信号を再生するディジタル伝送装置において、受信装置側に、受信した前記伝送信号を復調する復調部に接続され、該復調部での復調後のデータから、該復調部で前記伝送信号を復調する復調処理のタイミングに応じて一定にレベル増加するレベル増加信号を発生し、前記復調後のデータおよび前記レベル増加信号から、Ｘ軸方向に周波数成分，Ｙ軸方向に復調した信号成分を出力するビデオ化処理器を備えたことを特徴とするディジタル伝送装置。
【発明の詳細な説明】
【０００１】
【発明の属する技術分野】
本発明は、ディジタル伝送装置において特に伝送状態を可視化するディジタル伝送装置に関する。
【０００２】
【従来の技術】
近年、ディジタル伝送の変調方式としてＱＡＭ（Ｑｕａｄｒａｔｕｒｅ  Ａｍｐｌｉｔｕｄｅ  Ｍｏｄｕｌａｔｉｏｎ）方式やＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式が用いられ始めている。
【０００３】
データは、映像や音声信号をＭＰＥＧ処理で圧縮したトランスポートストリーム（以後ＴＳと呼ぶ）等である。
【０００４】
数年前はアナログＦＭによる方法で映像や音声を伝送していた。アナログＦＭは、受信電界レベルによって映像や音声のＳＮが変化する。受信電界レベルの変化が激しいマラソン中継等の移動体伝送においては、中継された映像信号が、ノイズや乱れの多い品位の低い信号となり易かった。
【０００５】
ディジタル伝送では、情報をディジタル化し、かつ、エラー訂正処理を併用する。そのため、受信電界レベルが変化する状態でも、エラー訂正が働く範囲であれば、同一品位の映像を中継伝送できる。電界レベルが限界値を下回る状態にまで低下するとエラー訂正不能となり、画像伝送も不可能となる。この限界は、復調後の信号状態によって、ある程度把握可能である。
【０００６】
例えば、伝送量６０Ｍｂｐｓと多い、６４ＱＡＭモードであれば、限界ＣＮは２７ｄＢ程度であり、受信電界の限界は約−７０ｄＢｍ以上が必要になる。伝送量３５Ｍｂｐｓと小さい、１６ＱＡＭ２モードであれば、限界ＣＮは１８ｄＢ程度であり、受信電界の限界は約−８０ｄＢｍ以上で映像を伝送できる。
【０００７】
図１４は、従来のディジタル伝送装置の全体構成図である。図１４において、映像信号は、ＭＰＥＧエンコーダ１に入力され圧縮データＴＳとなる。圧縮データＴＳは、変調モードを決めるマッピング回路２によって、２次元のデータＤｍとなる。
【０００８】
データＤｍは、変調部（ＭＯＤ）３により変調され、例えば、１３０ＭＨｚ帯の中間周波信号であるＤｍｏｄとなり、送信高周波部（Ｔｈ）４−１へ送られる。
【０００９】
送信高周波部（Ｔｈ）４−１は、中間周波信号Ｄｍｏｄをマイクロ波帯の信号に周波数変換し、電力増幅して、アンテナ４−２から送信する。
【００１０】
伝送路５を経由して受信用のアンテナ６−１に届いた電波は、受信高周波部（Ｒｈ）６−２に入力される。受信高周波部（Ｒｈ）６−２は、微弱な信号を増幅し、１３０ＭＨｚ帯の中間周波信号Ｄｄｅｍに変換する。
【００１１】
このＤｄｅｍ信号は、復調部（ＤＥＭ）７によって、時間タイミング再生や周波数再生が行なわれ、２次元のデータＤｄとなる。データＤｄは識別判定器８に送られ、再生圧縮データＴＳｒに戻される。再生圧縮データＴＳｒは、ＭＰＥＧデコーダ９に入力され、映像信号に伸張される。
【００１２】
ここで、伝送状態や同期再生状態の良否を把握するため、通常は復調部（ＤＥＭ）７の出力Ｉ，Ｑデータを、オシロスコープ１０のＸ−Ｙ入力に接続し、観測する。伝送状態が良ければ、受信信号の各マッピング点（信号点）は図１５の（ａ）のように小さく纏まる。しかし、伝送状態が悪いと、各マッピング点は図１５の（ｂ）のように大きくなり、散らばる。
【００１３】
なお、ＯＦＤＭ方式で変調された変調（伝送）信号を受信し復調して、オシロスコープに表示することにより、各データを観測することは、例えば特許文献１で公知である。
【００１４】
【特許文献１】
特開２００２−３４０９３７号公報（第２−３頁）
【００１５】
【発明が解決しようとする課題】
しかしながら、オシロスコープ１０のＸ軸の周波数応答は通常１ＭＨｚ未満であり、高速な信号点変化には追従できないため、通常は観測用に専用の間引きした信号を用意しなければならない。
【００１６】
また、伝送路５の状態は、常に一定ではなく、伝送路途中にある、川や海または水田の水位等によって時々刻々変化する。従って、時々刻々変化するディジタル伝送の回線状況の変化を記録保存することは困難である。
【００１７】
また、上記ＯＦＤＭ方式のように、多数キャリアのディジタル変調方式により変調された変調（伝送）信号を受信した際に、特定キャリアの劣化状況の把握が困難である。
【００１８】
本発明の目的は、ディジタル変調方式により変調された伝送信号を送受信するディジタル伝送装置において、特定キャリアの劣化状況の把握が可能で、またそれを記録保存の容易な映像信号に変換するディジタル伝送装置を提供することにある。
【００１９】
【課題を解決するための手段】
本発明は、ディジタル変調方式により変調され、２次元にマッピングされた伝送信号を送信し、受信した２次元のデータを識別することで伝送信号を再生するディジタル伝送装置において、受信装置側に、受信した前記伝送信号を復調する復調部に接続され、Ｘ軸方向に周波数成分，Ｙ軸方向に復調した信号成分を出力する２次元表示用出力装置を備えたことを特徴とする。
【００２０】
また本発明は、ディジタル変調方式により変調され、２次元にマッピングされた伝送信号を送信し、受信した２次元のデータを識別することで伝送信号を再生するディジタル伝送装置において、受信装置側に、受信した前記伝送信号を復調する復調部に接続され、該復調部で前記伝送信号を復調する復調処理のタイミングに応じて復調後のデータをホールドしたホールド信号、および前記タイミングに応じて一定にレベル増加するレベル増加信号とを出力する出力部と、該出力部に接続され、前記ホールド信号および前記レベル増加信号から、Ｘ軸方向に周波数成分，Ｙ軸方向に復調した信号成分を出力するビデオ化処理器を備えたことを特徴とする。
【００２１】
また本発明は、ディジタル変調方式により変調され、２次元にマッピングされた伝送信号を送信し、受信した２次元のデータを識別することで伝送信号を再生するディジタル伝送装置において、受信装置側に、受信した前記伝送信号を復調する復調部に接続され、該復調部での復調後のデータから、該復調部で前記伝送信号を復調する復調処理のタイミングに応じて一定にレベル増加するレベル増加信号を発生し、前記復調後のデータおよび前記レベル増加信号から、Ｘ軸方向に周波数成分，Ｙ軸方向に復調した信号成分を出力するビデオ化処理器を備えたことを特徴とする。
【００２２】
【発明の実施の形態】
図１は、本発明の第１の実施の形態の全体構成を示すブロック図である。図１は、図１４の従来のディジタル伝送装置の全体構成を示す図において、オシロスコープ１０を取り去り、タイミングコントローラ（以下ＣＮＴという）１１とサンプリングホールド器（以下ＳＨという）１２とを付加し、さらにビデオ化処理器１３を付加した。
【００２３】
このことにより、図１のＭＰＥＧデコーダ９の出力に接続された図示していないモニタ画面には、例えば図２の（ａ）に示すように、画像９ａが表示されるが、ビデオ化処理器１３の出力に接続された図示していないモニタ画面には、例えば図２の（ｂ）に示すように、上記画像９ａに、Ｘ軸方向に周波数成分，Ｙ軸方向に復調した信号成分からなる２次元表示画像１３ａを重畳した重畳画像が表示される。
【００２４】
図１において、復調部（ＤＥＭ）７からのＦＳＴ（フレーム・スタート・パルス）信号は、ＣＮＴ１１に入力される。
【００２５】
ＣＮＴ１１は、ｓｐ信号（サンプリングパルス）をＳＨ１２に出力するとともに、Ｙｓ信号（Ｙ成分のこぎり波）を出力し、Ｙｓ信号はビデオ化処理器１３に入力される。
【００２６】
ＳＨ１２は、復調部（ＤＥＭ）７の出力Ｉデータを入力とする。ＳＨ１２の出力Ｘｈ（Ｉ）信号（ＩデータのＸ成分サンプルホールド）は、ビデオ化処理器１３のもう一方の端子に入力される。
【００２７】
図３は、図１におけるタイミングコントローラＣＮＴ１１とサンプリングホールド器ＳＨ１２の動作を示すタイミング図である。
【００２８】
復調部（ＤＥＭ）７からのＦＳＴ（フレーム・スタート・パルス）信号に応じて、ＣＮＴ１１は、１シンボル期間（周期）毎に、ＦＦＴ処理期間×Ｎずつ位相をずらしたｓｐ信号を出力する。これにより、ＳＨ１２は、Ｉ信号の１ＦＦＴ期間毎に並んだ各キャリアのレベルを１シンボル期間毎に低い周波数成分のデータから順次サンプルしたＸｈ（Ｉ）信号を出力する。
【００２９】
また、ＣＮＴ１１は、１シンボル期間毎に一定にレベル増加するＹｓ信号を作成して出力する。Ｙｓ信号の増加回数Ｎは、キャリア本数分と同一値でも良い。または、ＦＦＴ処理の最大数（例えば１０２４）等でも良い。
【００３０】
図４は、図１におけるビデオ化処理器１３の構成図である。ビデオ化処理器１３は、図１におけるＳＨ１２の出力であるＸｈ（Ｉ）信号と、ＣＮＴ１１の出力であるＹｓ信号とが入力信号である。
【００３１】
入力信号であるＸｈ（Ｉ）信号とＹｓ信号は、各々Ａ／Ｄ変換器１４ｉと１４ｑに入力される。Ａ／Ｄ変換器１４ｉと１４ｑの出力は、各々変化点検出器１５ｉと１５ｑに入力されるとともに、書き込み部１６に入力される。変化点検出器１５ｉと１５ｑの出力は、書き込み部１６に入力される。
【００３２】
書き込み部１６のアドレス出力、データ出力、書き込みイネーブル（ＷＥ）出力は、コントロール部１９に入力される。初期化部１７のアドレス出力、データ出力、ＷＥ出力は、コントロール部１９に入力される。読出し表示部１８のアドレス出力、読出しイネーブル（ＲＥ）出力は、コントロール部１９に入力される。
【００３３】
コントロール部１９は、図１のＭＰＥＧデコーダ９の出力である映像信号に基づき、書き込み部１６、初期化部１７、読出し表示部１８に、動作を許可するイネーブル（ＥＮ）信号を出力する。また書き込み部１６、初期化部１７、読出し表示部１８のアドレス出力、データ出力、コントロール信号であるＷＥやＲＥを、メモリ２０ａとメモリ２０ｂに切換え選択して出力する。更にメモリ２０ａと２０ｂから読出したデータを加算器２１に出力する。
【００３４】
加算器２１は、メモリ２０ａと２０ｂから読出したデータを、図１のＭＰＥＧデコーダ９の出力である映像信号に重畳して映像化ＸＹ信号として出力する。
【００３５】
図５は、図４における変化点検出器１５ｉ，１５ｑの構成図である（変化点検出器１５ｉと１５ｑは同じ構成である）。また図６は、変化点検出と次に説明する書き込み処理の動作を説明する図である。
【００３６】
図１の復調部（ＤＥＭ）７の出力であるＩ，Ｑデータは、８サンプル周期で変化するものとする。この場合、ビデオ化処理器１３の入力信号であるＸｈ（Ｉ）信号，Ｙｓ信号は、ラッチ１５−１に入力され、１４．３ＭＨｚでサンプリング（図６の▲１▼）される。ラッチ１５−１の出力信号は、ラッチ１５−２と減算器１５−３に入力される。ラッチ１５−２の出力信号は、減算器１５−３のもう一方に入力される。減算器１５−３の出力信号、つまり、入力の微分信号は絶対値化器１５−４に入力され、正負の成分が絶対値化される。絶対値化器１５−４の出力信号は判定器１５−５に入力され、判定器１５−５で基準値Ｔｈと比較され、基準値Ｔｈ以上の成分を変化分とみなした“ｈｅｎｋａ”を示す変化点パルス（図６の▲２▼）が出力される。
【００３７】
図７は、図４における書き込み部１６の構成図である。Ｘｈ（Ｉ）信号とＹｓ信号は、合成器１６−１により、表示空間の２次元アドレスに変換される。その変換結果は、ＷＥ発生器１６−２（ＥＮ入力に応じて、動作もしくは停止する）からのＳ１パルスによってホールドされ、アドレスを出力する。ゲート１６−３は、Ｘｈ（Ｉ）信号とＹｓ信号の“ｈｅｎｋａ”を示す変化点パルス（図６の▲２▼）の論理和をとったパルスｈ１を出力する。
【００３８】
このパルスｈ１は、ゲート１６−４とゲート１６−５に入力される。
【００３９】
ゲート１６−４はＷＥパルスの源である。ゲート１６−４には、ＷＥ発生器１６−２からのＷ１パルス（１４．３ＭＨｚを１０分周して作成したサンプリングパルスＷ１（図６の▲３▼））が入力され、サンプリングパルスＷ１の発生タイミングが、変化点パルス（図６の▲２▼）の論理和をとったパルスｈ１と一致するかを調べる。不一致の場合（図６の▲４▼）はそのままサンプルして（ＳＲＡＭアドレスに“１”と書き込む）、ＷＥパルスを出力し、一致する場合（図６の▲５▼）は、サンプルを取り止めて、ＷＥをＯＦＦする。この場合は次回サンプルも変化点に当たる確立が高いため、サンプル位相をずらす（図６の▲６▼）。また書き込み部１６はデータＨを常に出力する。結果的に、Ｉ，Ｑデータの値に応じたメモリ空間にレベル“Ｈ”のデータが書き込まれる。
【００４０】
ここで、書き込み部１６の動作を図６を用いてもう一度説明する。図１の復調部（ＤＥＭ）７の出力であるＩ，Ｑデータは、８サンプル周期で変化するものとする。この場合、ビデオ化処理器１３の入力信号であるＸｈ（Ｉ）信号，Ｙｓ信号は、また、Ｉ，Ｑデータの値は、４，１０，１６，…，（６ｎ＋４）番目のサンプルパルス、即ち、６サンプル周期のタイミングで書き込み部１６に取り込まれるものとする。
【００４１】
このような場合、１６番目のサンプルパルスタイミングでは、“ｈｅｎｋａ”とサンプルパルスのタイミングが一致してしまう（図６の▲５▼）。そのため、この１６番目のサンプル点で、Ｉ，Ｑ値の取り込みを行うと、本来は図１５（ａ）の正規の信号点イから別の正規の信号点ロに過渡的に移動しつつある軌跡の中間点の値を取り込んでしまうことになる。このような軌跡の中間点を多数取り込むと、受信状態が良いのにもかかわらず、図１５（ｂ）のように信号点が散乱した状態に見えてしまう。
【００４２】
そこで、本発明の実施の形態では、“ｈｅｎｋａ”とサンプルパルスのタイミングが一致するサンプル点でのＸｈ（Ｉ）信号，Ｙｓ信号値の取り込みを休止する。更に、次回のサンプルタイミングも変化点に当る確率が高いため、サンプルパルスの発生タイミングを変更する（図６の▲６▼）。そして、上記タイミングが一致しないサンプル点のＸｈ（Ｉ）信号，Ｙｓ信号値は、そのまま書き込み部１６に取り込む。
【００４３】
図８は、図４における初期化部１７の構成図である。アドレス発生器１７−１とＷＥ発生器１７−２は、ＥＮ入力に応じて動作もしくは停止する。アドレス発生器１７−１はＥＮ入力に対応するアドレスを出力する。ＷＥ発生器１７−２はＥＮ入力に対応するＷＥを出力する。またデータとしては“Ｌ”を出力する。全体的な動作としては、ＥＮ入力に従い、アドレス発生器１７−１に応じたメモリアドレス空間にデータ“Ｌ”を書き込む。具体的には、コンスタレーションを累積した表示空間を黒とする形で初期化する。
【００４４】
図９は、図４におけるコントロール部１９の動作を説明する図である。まず、入力された映像信号からフレーム周期のタイミングとしてＦパルスを内部で生成する。そして、そのＦパルスに応じて、２面のメモリ２０ａ，２０ｂに対して、表示（読出し）、消去（初期化）、コンスタレーション書き込み（書き込み）を行う。
【００４５】
具体的には、メモリ２０ａが表示（読出し）、消去（初期化）の場合、メモリ２０ｂはコンスタレーション書き込み（書き込み）を行う。またメモリ２０ａが▲１▼コンスタレーション書き込み（書き込み）の場合、メモリ２０ｂはフィールド１の▲２▼表示（読出し）、▲３▼消去（初期化）およびフィールド２の▲４▼表示（読出し）、▲５▼消去（初期化）を行う。
【００４６】
ここで、上記▲１▼コンスタレーション書き込みでは、サンプルしたＸｈ（Ｉ），Ｙｓ値に対応したＳＲＡＭアドレスに、“１”を書き込む（１フレーム期間（周期）行う）。上記▲２▼表示（フィールド１）では、走査線に対応した上記ＳＲＡＭアドレスのデータを、１画素毎に読み出す。対応するＸｈ（Ｉ），Ｙｓ値が存在していれば読み出し値が“１”となり、ＮＴＳＣ画面の１画素を白く表示する。上記▲３▼消去（フィールド１）では、上記▲２▼で読み出したアドレスに“０”を書き込む（メモリを初期化し、表示済み画素エリアのメモリ内容を黒に戻しておく）。上記▲４▼表示（フィールド２）では、上記▲２▼表示（フィールド１）と同様の動作をする。上記▲５▼消去（フィールド２）では、上記▲３▼消去（フィールド１）と同様の動作をする。
【００４７】
また、メモリ２０ａが表示（読出し）、消去（初期化）をし、メモリ２０ｂがコンスタレーション書き込み（書き込み）を行う場合は、下記を繰り返す。
・フレーム１のフィールド１の前半：メモリ２０ａの偶数アドレスの読出し。
・フレーム１のフィールド１の後半：メモリ２０ａの偶数アドレスの消去。
・フレーム１のフィールド２の前半：メモリ２０ａの奇数アドレスの読出し。
・フレーム１のフィールド２の後半：メモリ２０ａの奇数アドレスの消去。
・フレーム２のフィールド１：メモリ２０ａへＸｈ（Ｉ），Ｙｓ信号対応アドレスに書き込み。
・フレーム２のフィールド２：メモリ２０ａへＸｈ（Ｉ），Ｙｓ信号対応アドレスに書き込み。
・フレーム３のフィールド１の前半：メモリ２０ａの偶数アドレス読出し。
・フレーム３のフィールド１の後半：メモリ２０ａの偶数アドレス消去。
以後、上記動作を繰り返す。
【００４８】
逆に、メモリ２０ｂが表示（読出し）、消去（初期化）をし、メモリ２０ｂがコンスタ書き込み（書き込み）  を行う場合は、下記を繰り返す。
・フレーム１のフィールド１：メモリ２０ｂへＸｈ（Ｉ），Ｙｓ信号対応アドレスに書き込み。
・フレーム１のフィールド２：メモリ２０ｂへＸｈ（Ｉ），Ｙｓ信号対応アドレスに書き込み。
・フレーム２のフィールド１の前半：メモリ２０ｂの偶数アドレスの読出し。
・フレーム２のフィールド１の後半：メモリ２０ｂの偶数アドレスの消去。
・フレーム２のフィールド２の前半：メモリ２０ｂの奇数アドレスの読出し。
・フレーム２のフィールド２の後半：メモリ２０ｂの奇数アドレスの消去。
以後、上記動作を繰り返す。
【００４９】
これにより、復調部（ＤＥＭ）７からのＩデータの値は対応するメモリアドレス空間に変換され、メモリ２０ａもしくはメモリ２０ｂにレベル“Ｈ”が書き込まれる。各メモリ２０ａ，２０ｂは、読出し期間において、相当するメモリアドレスから、レベル“Ｈ”が読み出される。対応しないメモリアドレスの内容は、“Ｌ”のままとなる。読出し完了後に行われる消去（初期化）は、読出しに対応するアドレス空間に、“Ｌ”を書き込むことで、マッピング点の累積内容を初期化する。
【００５０】
図１０は、図４における読出し表示部１８の構成図である。アドレス発生器１８−１とＲＥ発生器１８−２の動作は、ＥＮ入力に応じて動作もしくは停止する。アドレス発生器１８−１は表示画面に応じたアドレスを出力する。ＲＥ発生器１８−２はＲＥを出力する。全体的な動作としては、ＥＮ入力に従い、表示用のアドレス発生器１８−１に応じたメモリアドレス空間のデータを読み出す。即ち、コンスタレーションを累積した表示空間を、表示用の走査線タイミングに応じて出力する。
【００５１】
読み出されたコンスタレーションの空間は、加算器２１によって、図１のＭＰＥＧデコーダ９の出力である映像信号に重畳され、映像化ＸＹ信号として出力される。
【００５２】
ビデオ化処理器１３の出力に接続された図示していないモニタ画面には、例えば図２の（ｂ）に示すように、ＭＰＥＧデコーダ９の出力に接続された図示していないモニタ画面に表示される画像９ａに、Ｘ軸方向に周波数成分，Ｙ軸方向に復調した信号成分および該復調信号の変化を示すずれ成分からなる２次元表示画像１３ａを重畳した重畳画像が表示される。
【００５３】
本実施の形態では、書き込みに関して、帯域制限が無いため、従来のオシロスコープ等で生じるような表示が歪む等の問題が無い。
【００５４】
また、本実施の形態によれば、図２の表示画面における２次元表示信号１３ａにおいて、劣化した帯域のキャリアは雑音成分が増加するため、２次元表示すると、状態の良い帯域と比べ、横線が太く表示される。また、その劣化の程度に応じて太さも変化する。このため、使用している帯域に周波数選択性フェージングが生じて部分的に劣化しているのか、または、帯域全体に劣化が生じ改善が困難であるかを容易に判別することができる。
【００５５】
なお周波数選択性フェージングであれば、受信アンテナの方向を変更すること等により、悪影響を生じる原因であるマルチパス波のレベルを低減し、結果的に周波数選択性フェージングを回避できる可能性がある。
【００５６】
図１１は、本発明によるディジタル伝送装置の第２の実施の形態の全体構成を示すブロック図である。図１２は、図１１におけるビデオ化処理器１３Ａの構成図である。
【００５７】
図１１は、図１４の従来のディジタル伝送装置の全体構成を示す図において、オシロスコープ１０を取り去り、ビデオ化処理器１３Ａを付加した。ビデオ化処理器１３Ａは、復調部（ＤＥＭ）７の出力Ｉデータを入力とする。図１２に示すビデオ化処理器１３Ａは、図４のビデオ化処理器１３におけるＡ／Ｄ変換器１４ｑと変化点検出器１５ｑを取り去り、変化なし期間検出器２２とＳＡＷ（のこぎり波）発生器２３を付加した。図１３は、図１２のビデオ化処理器１３Ａにおける動作を示すタイミング図である。
【００５８】
復調部（ＤＥＭ）７からのＩデータは、ＡＤ変換器１４ｉに入力される。ＡＤ変換器１４ｉの出力は、変化点検出器１５ｉと書き込み部１６とに入力される。変化点検出器１５ｉの出力ｈｅｎｋａは、書き込み部１６および変化なし検出器２２に入力される。変化なし検出器２２の出力ｎａｓｉ信号は、ＳＡＷ発生器２３に入力される。ＳＡＷ発生器２３の出力Ｙｓ信号は、書き込み部１６に入力される。
【００５９】
変化点検出器１５ｉは、Ｉデータにレベル変化があったタイミングをｈｅｎｋａとして出力する。
【００６０】
変化なし期間検出器２２は、一定期間ｈｅｎｋａの無い状態を検知して、その期間がレベルＨとなるｎａｓｉ信号を出力する。
【００６１】
ＳＡＷ発生器２３は、ｎａｓｉ信号が立ち下がるタイミングから１シンボル期間毎に一定にレベル増幅するＳＡＷ波を発生し、再度ｎａｓｉが立ち下がると当初のレベルから再度ＳＡＷ波を出力するＹｓ信号を出力する。
【００６２】
書き込み部１６のアドレス出力、データ出力、ＷＥ出力は、コントロール部１９に入力される。
【００６３】
初期化部１７のアドレス出力、データ出力、ＷＥ出力は、コントロール部１９に入力される。
【００６４】
読出し表示部１８のアドレス出力、ＲＥ出力は、コントロール部１９に入力される。
【００６５】
コントロール部１９は、図１１のＭＰＥＧデコーダ９の出力である映像信号に基づいて、書き込み部１６、初期化部１７、読出し表示部１８に、動作を許可する２つのＥＮ信号を出力する。また、書き込み部１６、初期化部１７、読出し表示部１８のアドレス出力、データ出力、コントロール信号であるＷＥやＲＥを、メモリ２０ａとメモリ２０ｂに切換選択して出力する。さらにメモリ２０ａ，２０ｂから読出したデータを加算器２１に出力する。
【００６６】
加算器２１は、メモリ２０ａと２０ｂから読出したデータを、図１１のＭＰＥＧデコーダ９の出力である映像信号に重畳して映像化ＸＹ信号として出力する。
【００６７】
これにより、復調部（ＤＥＭ）７からのＩ，Ｑデータの値は相当するメモリアドレス空間に変換され、メモリ２０ａもしくはメモリ２０ｂにレベルＨが書き込まれる。各メモリ２０ａ，２０ｂは、読出し期間において、相当するメモリアドレスは、レベル“Ｈ”が読み出される。相当しないメモリアドレスの内容は、“Ｌ”のままとなる。読出し完了後に行なわれる、消去（初期化）は読出しに相当するアドレス空間に、“Ｌ”を書き込みことで、マッピング点の累積内容を初期化する。
【００６８】
読み出されたコンスタレーションの空間は、加算器２１によって、図１１のＭＰＥＧデコーダ９の出力である映像信号に重畳され、映像化ＸＹ信号として出力される。
【００６９】
ビデオ化処理器１３Ａの出力に接続された図示していないモニタ画面には、例えば図２の（ｂ）に示すように、ＭＰＥＧデコーダ９の出力に接続された図示していないモニタ画面に表示される画像９ａに、Ｘ軸方向に周波数成分，Ｙ軸方向に復調した信号成分からなる２次元表示画像１３ａを重畳した重畳画像が表示される。
【００７０】
本実施の形態でも、書き込みに関しても、帯域制限が無いため、オシロで生じるような表示が歪む等の問題も無い。
【００７１】
また、本実施の形態においても、図２の表示画面における２次元表示信号１３ａにおいて、劣化した帯域のキャリアは雑音成分が増加するため、２次元表示すると、状態の良い帯域と比べ、横線が太く表示される。また、その劣化の程度に応じて太さも変化する。このため、使用している帯域に周波数選択性フェージングが生じて部分的に劣化しているのまたは、帯域全体に劣化が生じ改善が困難であるかを容易に判別することができる。
【００７２】
なお、以上の本発明の実施の形態においては、２次元のＩ，Ｑデータの表示についてのみで説明したが、重畳される映像信号は、遅延プロファイルや、ビットエラー、入力電界に関連した情報、伝送装置の同期状態、ＭＰＥＧコーデックの伸張状態が、含まれた映像信号でも良い。
【００７３】
【発明の効果】
本発明によれば、ディジタル変調方式により変調された伝送信号を送受信するディジタル伝送装置において、特定キャリアの劣化状況の把握が可能で、またそれを記録保存の容易な映像信号に変換するディジタル伝送装置を得ることができる。
【図面の簡単な説明】
【図１】本発明によるディジタル伝送装置の第１の実施の形態を示す全体構成図である。
【図２】（ａ）はモニタ画面に表示される画像の例、（ｂ）はモニタ画面に表示される画像および２次元表示画像の例を示す図である。
【図３】図１におけるタイミングコントローラＣＮＴとサンプリングホールド器の動作を示すタイミング図である。
【図４】図１におけるビデオ化処理器の構成図である。
【図５】図４における変化点検出器の構成図である。
【図６】変化点検出と書き込み処理の動作を説明する図である。
【図７】図４における書き込み部の構成図である。
【図８】図４における初期化部の構成図である。
【図９】図４におけるコントロールの動作を説明する図である。
【図１０】図４における読出し表示部の構成図である。
【図１１】本発明によるディジタル伝送装置の第２の実施の形態の全体構成を示すブロック図である。
【図１２】図１１におけるビデオ化処理器の構成図である。
【図１３】図１２のビデオ化処理器における動作を示すタイミング図である。
【図１４】従来のディジタル伝送装置の全体構成図である。
【図１５】図１４のオシロスコープで観測される、受信信号の各マッピング点（信号点）を示す図で、（ａ）は伝送状態が良い場合、（ｂ）は伝送状態が悪い場合の図である。
【符号の説明】
１：ＭＰＥＧエンコーダ、２：マッピング回路、３：変調部（ＭＯＤ、４−１：送信高周波部（Ｔｈ）、４−２：アンテナ、５：伝送路、６−１：アンテナ、６−２：受信高周波部（Ｒｈ）、７：復調部（ＤＥＭ）、８：識別判定器、９：ＭＰＥＧデコーダ、９ａ：ＭＰＥＧデコーダの出力に接続された図示していないモニタ画面に表示される画像、１０：オシロスコープ、１１：タイミングコントローラ（ＣＮＴ）、１２：サンプリングホールド器（ＳＨ）、１３，１３Ａ：ビデオ化処理器、１３ａ：２次元表示画像、１４ｉ，１４ｑ：Ａ／Ｄ変換器、１５ｉ，１５ｑ：変化点検出器、１６：書き込み部、１７：初期化部、１８：読出し表示部、１９：コントロール部、２０ａ，２０ｂ：メモリ、２１：加算器、２２：変化なし期間検出器、２３：ＳＡＷ発生器。
【図１】
2004357106.tif 000003
【図２】
2004357106.tif 000004
【図３】
2004357106.tif 000005
【図４】
2004357106.tif 000006
【図５】
2004357106.tif 000007
【図６】
2004357106.tif 000008
【図７】
2004357106.tif 000009
【図８】
2004357106.tif 000010
【図９】
2004357106.tif 000011
【図１０】
2004357106.tif 000012
【図１１】
2004357106.tif 000013
【図１２】
2004357106.tif 000014
【図１３】
2004357106.tif 000015
【図１４】
2004357106.tif 000016
【図１５】
2004357106.tif 000017